(57)【要約】くるみデバイスは、乳児を実質的に囲むように成形され構成されるＹ字形ポッドである。デバイスは、それらの端部に折り返しミトンカフスまたは類似の選択的に開閉可能なファスナを有するスリーブを含む。カフスによって、介護者が皮膚と皮膚との接触を提供するように乳児の両手または片手を露出させることができる。あるいは、ひっかき行動が懸念である場合、介護者はカフスを閉じることができる。デバイスは、腰と膝を曲げるのに十分な空間を提供しながら、その中央部に乳児のサポートおよび心地よさを提供するために形づくられる。乳児が空気へのアクセスを得るために自分の腕を使って自分の頭を移動することが可能であるので、心地よいくるみ状態を有するくるみ袋の設計は、腕の拘束なしでサポートおよびモロ反射の部分的な抑制を提供し、乳児が腹臥位に転がる際にその乳児にとっての窒息の危険を低下させる、乳児の上体に十分な可動範囲を可能にする。【選択図】図１Ａ
2020521069.tif 000002
【特許請求の範囲】
【請求項１】
くるみデバイスであって、
上部、中央部、および底部を有する一体袋であり、前記袋は乳児を実質的に囲むように構成される、一体袋を含み、前記一体袋は、
首開口部と、
前記首開口部の第１の側に位置する第の１スリーブ部と、
前記首開口部の第２の側に位置する第２のスリーブ部と、
を含み、
前記第１および第２のスリーブ部は、前記くるみデバイスの肩線より上に遠位端を有するＹ字形構成で上方へ延び、
前記第１および第２のスリーブ部の各々は、遠位端が開位置にあるときに乳児の手が露出し、遠位端が閉位置にあるときに乳児の手が前記スリーブ部の中に囲まれるように、介護者によって選択的に開放可能な遠位端を有し、
前記一体袋は、乳児の動きを部分的に制限して、これによりモロ反射を抑制する一方で、乳児の胃をぴったりと包囲して、これにより適度の一定の圧力をそこに提供する、
くるみデバイス。
【請求項２】
前記第１および第２のスリーブ部の各々は、介護者によって選択的に開放可能な折り返しミトンカフスを含み、前記カフスは、前記スリーブ部の内部へのアクセスを可能にするために前記スリーブ部の材料をそれ自体の上に戻すことによって開かれる、請求項１に記載のくるみデバイス。
【請求項３】
各折り返しミトンカフスは、対応する前記スリーブ部の長手方向軸に沿って測定した長さが少なくとも２．５インチである、請求項２に記載のくるみデバイス。
【請求項４】
前記中央部は、前記底部の平均周囲長よりも小さい平均周囲長を有し、前記中央部は、乳児の胃をぴったりと覆い、これにより適度の一定の圧力を提供し、前記底部は、可動範囲を制限して、モロ反射の部分的な抑制を提供する一方で、乳児がその膝と腰を曲げる余地を提供する、請求項１に記載のくるみデバイス。
【請求項５】
前記中央部は、乳児の胃の周囲よりも５〜１０％小さい平均周囲長を有して、乳児の胃に適度の一定の圧力を提供し、前記底部は、前記中央部の周囲長よりも５０％大きい平均周囲長を有する、請求項１に記載のくるみデバイス。
【請求項６】
前記底部は、前記中央部の平均周囲長よりも５０パーセント大きい平均周囲長を有する、請求項１に記載のくるみデバイス。
【請求項７】
前記上部は、モロ反射に関連した腕の動きを部分的に抑制し、乳児が自分の胴体を持ち上げて自分の頭を移動する傾向があるときに自分の腕を使用するのに十分な可動範囲をさらに可能にする、請求項１に記載のくるみデバイス。
【請求項８】
前記スリーブ部は、各々、腕を完全に伸ばした場合に閉じたミトンカフスによって抵抗を提供するために、標準の長袖よりも短い袖丈を有し、袖の形状は、手が頭の上にある自然な位置で眠っている乳児の腕の位置にしたがうように輪郭付けられていて、前記スリーブ部は、乳児の腕と手がスリーブ部に収まるための十分な余地を可能にし、これにより、胸に手を乗せる、肩に並んだ手と肘が体の側にある、腕がタッチダウン位置で肩の上に達する、を含む複数の自然な位置で乳児が眠ることを可能にし、前記スリーブは制限された動きを可能にして、モロ反射に関連した腕の動きの抑制を提供する、請求項１に記載のくるみデバイス。
【請求項９】
前記第１および第２のスリーブ部は、前記くるみデバイスの肩線より上に遠位端を有するＹ字形構成で上方へ延び、前記スリーブ部は、各々、ミトンカフスが開いているときに、乳児が容易に自分の手にアクセスして手を口に入れることができるために、標準の長袖よりも短い袖丈を有する、請求項１に記載のくるみデバイス。
【請求項１０】
前記一体袋は、乳児を前記袋の中に入れ、前記袋から乳児を出すための双方向ジッパーを含む、請求項１に記載のくるみデバイス。
【請求項１１】
前記ジッパーは、前記首開口部から、前記袋の中央部を通って前記袋の底部まで下方へ延びる、請求項１０に記載のくるみデバイス。
【請求項１２】
前記一体袋は、柔らかくて伸縮性のある綿布地を用いて作られ、前記一体袋の正面側は、空気流を強化するためのオープンウィーブメッシュパネルを含む、請求項１に記載のくるみデバイス。
【請求項１３】
前記布地は合成弾性繊維を含む、請求項１２に記載のくるみデバイス。
【請求項１４】
前記袋は、少なくとも１つのフックアンドループファスナ部を含み、前記スリーブ部の各々は、前記袋の少なくとも１つのフックアンドループファスナ部の対応する１つに取り外し可能に取り付けられることができるフックアンドループファスナ部を含み、そのため、乳児の手が乳児の口に届くように乳児の腕を正中線付近で袋に取り付けることができる、請求項１に記載のくるみデバイス。
【請求項１５】
前記袋は、上部パネルおよび底部パネルから形成され、各パネルは、連続した布部分である、請求項１に記載のくるみデバイス。
【請求項１６】
くるみデバイスであって、
乳児を囲むように構成される袋であり、前記袋は、上部、中央部、および底部を含む、袋を含み、
前記中央部は、乳児の胃をぴったりと覆う大きさの周囲長を有し、これにより、適度の一定の圧力を提供し、
前記底部は、前記中央部の周囲長よりも大きい周囲長を有し、そのため、乳児は、脚の動きを部分的に制限しながら、その腰と膝を曲げることができ、
前記上部は、各々、選択的に開放可能な遠位端を有する第１スリーブおよび第２スリーブを含み、そのため、前記遠位端が開位置にあるときに、乳児の手は露出し、前記遠位端が閉位置にあるときに、乳児の手はスリーブの中に囲まれ、
第１および第２の腕は、乳児の肩から離れて上向きに向けられていて、
前記上部は、乳児の腕の動きを部分的に制限し、これにより、腹臥位にあるときに乳児がその腕の使用を可能にし、そして乳児が頭の位置を変えるために胴体を持ち上げることを可能にするために十分な可動範囲を提供する一方で、モロ反射と関連した腕の動きと跳ねを抑制する、
くるみデバイス。
【請求項１７】
前記中央部は、乳児の胃の周囲よりも５〜１０％小さい平均周囲長を有して、乳児の胃に適度の一定の圧力を提供し、前記底部は、前記中央部の周囲長よりも５０％大きい平均周囲長を有する、請求項１６に記載のくるみデバイス。
【請求項１８】
前記底部は、前記中央部の平均周囲長よりも５０パーセント大きい平均周囲長を有する、請求項１６に記載のくるみデバイス。
【請求項１９】
前記第１および第２のスリーブの各々は、選択的に開放可能な折り返しミトンカフスを含み、前記カフスは、前記スリーブの内部へのアクセスを可能にするために前記スリーブの材料をそれ自体の上に戻すことによって開かれる、請求項１６に記載のくるみデバイス。
【請求項２０】
前記袋は、綿とエラスタンの混紡である柔らかくて伸縮性のある布地を用いて作られる、請求項１６に記載のくるみデバイス。
【発明の詳細な説明】
【技術分野】
【０００１】
［優先権主張］
この出願は、２０１７年５月１７日に出願された「ＳＷＡＤＤＬＩＮＧ  ＤＥＶＩＣＥ」という名称の米国仮特許出願番号第６２／５０７，７４２号の優先権の利益を請求する。そしてその内容全体は、参照により全体が本明細書に組み込まれる。
【０００２】
［技術分野］
本開示は、乳児用のくるみデバイス（ｓｗａｄｄｌｉｎｇ  ｄｅｖｉｃｅ）に関する。
【背景技術】
【０００３】
典型的な先行技術のくるみデバイスは、乳児が自分の手への皮膚と皮膚とのアクセスを有することができない。乳児が自分の手にアクセスするのを防止する従来のくるみポッド（ｓｗａｄｄｌｉｎｇ  ｐｏｄ）の設計の例は、米国特許第８，６０７，３６４号に記載されている。吸い込んで自己安らぎを得るための乳児の手へのアクセスを防止するこの従来のくるみポッドの設計は、乳児にとってその手にアクセスすることが非常に重要であるので、乳児の最大の関心事ではない。
【０００４】
従来のくるみポッドの設計の他の例は、米国特許第９，１７９，７１１号に記載されている。記載されている設計は、乳児が袋の布を通してその手を吸うことを可能にするが、しかし皮膚と皮膚との直接アクセスのない寝袋である。乳児が布を通して吸うことを必要とするこの従来のくるみポッドの設計は、皮膚と皮膚との接触がより自然であるので、理想的でないかまたは乳児の最大の関心事ではない。加えて、乳児が布を吸っている場合、乳児は、衣服を洗濯して乾燥させた後に布に残留する洗剤または柔軟剤を摂取する。
【０００５】
加えて、他の従来技術のくるみデバイスの設計は、典型的には面ファスナを含む大きいラップ機能で乳児の腕を抑制する。この種の設計は危険である。なぜなら、乳児が寝返りをして寝台やマットレスの上に顔面を着地する場合、腕の拘束が乳児の動きを制限して、乳児が自分の上半身を持ち上げて頭の位置を変えて空気に触れるのを妨げるからである。
【発明の概要】
【課題を解決するための手段】
【０００６】
【図面の簡単な説明】
【０００７】
【図１Ａ】図１Ａは、第１実施形態によるくるみデバイスの、カフスが開位置にある、正面図を示す線図である。
【図１Ｂ】図１Ｂは、第１実施形態によるくるみデバイスの、カフスが開位置にある、背面図を示す線図である。
【図２Ａ】図２Ａは、第１実施形態によるくるみデバイスの、カフスが閉位置にある、正面図を示す線図である。
【図２Ｂ】図２Ｂは、第１実施形態によるくるみデバイスの、カフスが閉位置にある、背面図を示す線図である。
【図３Ａ】図３Ａは、第２実施形態によるくるみデバイスの、カフスが開位置にある、正面図を示す線図である。
【図３Ｂ】図３Ｂは、第２実施形態によるくるみデバイスの、カフスが開位置にある、背面図を示す線図である。
【図４Ａ】図４Ａは、第２実施形態によるくるみデバイスの、カフスが閉位置にある、正面図を示す線図である。
【図４Ｂ】図４Ｂは、第２実施形態によるくるみデバイスの、カフスが閉位置にある、背面図を示す線図である。
【図５Ａ】図５Ａは、第１実施形態によるくるみデバイスの正面図を示す画像である。
【図５Ｂ】図５Ｂは、第１実施形態によるくるみデバイスの背面図を示す画像である。
【図６】図６は、くるみデバイスの例示的実施形態の乳児を示す線図である。
【図７】図７は、くるみデバイスの例示的実施形態の乳児を示す画像である。
【発明を実施するための形態】
【０００８】
本明細書に記載されている実施形態は、ときどきくるみ袋（Ｓｗａｄｄｌｅ  Ｓａｃｋ）と呼ばれるくるみデバイス（ｓｗａｄｄｌｉｎｇ  ｄｅｖｉｃｅ）を提供する。くるみ袋は、革新的なくるみポッド、ウェアラブルブランケット、自己安らぎのために乳児が手への完全なアクセスを有することを可能にする折り返しミトンカフス（ｆｏｌｄｏｖｅｒ  ｍｉｔｔｅｎ  ｃｕｆｆｓ）を有する独自に変更され形づくられたスリーブを有する寝袋であり、その設計は乳児のための複数の自然な腕の位置オプションをサポートする。
【０００９】
このくるみ袋の革新的な設計は、使いやすさの利点を有するくるみのサポートを介護者に提供する。くるみ袋は、折り返しミトンカフスを含み、これは、乳児が自分の手へのアクセスを提供するための２つのオプションを介護者に与える重要な革新である。第１のオプションでは、くるみ袋は、乳児が開位置の折り返しミトンカフスを介して自分の手への皮膚と皮膚の（手と口、手と手、手と顔）アクセスを有することができる。第２のオプションでは、くるみ袋により、介護者が選択した場合、折り返しミトンカフスを介して手の開口部を閉じることができ、乳児は自己快適さのためにまだ顔に手を持ってくることができる。
【００１０】
他の利用可能なくるみポッドの設計は乳児が自分の手と皮膚から皮膚へのアクセスを有するのを可能にしないので、くるみ袋の折り返しミトンカフス機能は、革新的で重要である。上述のように、従来技術のくるみポッド、くるみラップ、および類似のデバイスは、乳児の手との皮膚と皮膚の接触を可能にしない。対照的に、開いたカフス位置で、くるみ袋は、乳児が自分の手との皮膚と皮膚の接触にアクセスして経験する十分な機会を提供する。
【００１１】
くるみ袋の折り返しミトンカフス機能は、さらに革新的である。なぜなら、開いたアームホールおよびくるみラップを有する他の利用可能な寝袋デザインは、自分の腕を使用する乳児の能力を制限する腕の拘束として極めて強い面ファスナを有するくるみ翼を含むからであり、そしてそれは年長の乳児に非常に危険でありえる。この種のくるみ翼またはラップは、危険でありえる。なぜなら、乳児が寝返りして寝台やマットレスの上に横たわると、腕の拘束が乳児の動きを制限し、乳児が上半身を持ち上げて頭の位置を変えて空気に触れるのを妨げるからである。対照的に、くるみ袋は、腕の動きの自由を許容するので、乳児が下向きになった場合に乳児が自分の頭をうまく移動することができる。
【００１２】
このくるみ袋の設計は、革新的であり、手へのアクセスを有する自然の位置に乳児をサポートすることを可能にする。乳児が自分で落ち着き、手を吸って、乳児がお腹が空いていて授乳の準備ができていることを介護者に伝えることは、非常に重要である。活発に手を吸うことは、空腹感および最初の乳児キューの兆候である。泣くことは、空腹感の遅い兆候である。幼児の研究者および幼児の専門家は、乳児と介護者との間の最初のコミュニケーションが重要であると考えているので、介護者は適切に応答することができて、このキューで乳児に授乳することができる。授乳によって満たされるキューのこの早めの行為は、健全な関係の基礎である信頼を確立する。授乳の専門家は、この乳児キューが母乳育児の母親にとって、母乳育児、母乳の低下と供給、および乳児主導の授乳手順を確立するのを助けることにとって重要であると考える。手の吸引はまた、幼児の胃腸管の成熟、手の制御の成熟を助け、乳児に快適さも提供する。吸引は、乳児にとって最も組織的な行動であり、睡眠／覚醒の制御を助ける。加えて、乳児は、それにより学習し、安心感を感じ、コミュニケーションする手や口の周りに、多くの神経終末を有する。
【００１３】
従来の設計は、乳児が布を通して吸うことによって手を吸うことができた。しかし、育児および授乳の専門家は、乳児が布の層なしで手に直接の皮膚から皮膚へのアクセスを有することが重要であることに同意する。加えて、洗濯後に洗剤や化学物質が布地に含まれる危険性があるため、乳児が布地を吸わないことは、より安全で好ましく、そしてそれは布地の洗剤や化学物質に関連する暴露とリスクを最小化する。
【００１４】
くるみ袋は、腕を完全に拘束した状態での抱っこ（ｓｗａｄｄｌｉｎｇ）から、腕のカバーや袖のないウェアラブルブランケットへの乳児移行としてサポートを提供するように設計されていて、くるみ袋は、腕の拘束を有する従来のくるみデバイスの設計に比べてより高い乳児の腕のための可動範囲を可能にするので、乳児が寝返りをして寝台の上に下向きに着地するシナリオでは、くるみ袋の上部は、乳児がその胴体を持ち上げてその頭の位置を変えて空気へのアクセスを得るために自分の腕を使用することができるように、乳児の腕の可動範囲（「ＲＯＭ」）を許容する。
【００１５】
介護者は、乳児が寝返りすることを試みる兆候を示すときに、または乳児が寝返りをすることができる場合に、米国小児学会（ｔｈｅ  Ａｍｅｒｉｃａｎ  Ａｃａｄｅｍｙ  ｏｆ  Ｐｅｄｉａｔｒｉｃｓ）により、くるみブランケットまたは他のくるみデバイスの使用を中止するように強く勧められるが、しかし、乳児がベビーベッドに一人でいるときに、乳児が初めて寝返りするという危険が常にある。残念なことに、多くの介護者は、ＡＡＰのアドバイスに従っていない。なぜなら、乳児が寝返りする準備ができているときに、介護者は、乳児がゆったりしたノースリーブのウェアラブルブランケットの準備ができていないと感じるかもしれないからである。くるみ心地よさを有するくるみ袋の設計は、腕の拘束なしでモロ反射（Ｍｏｒｏ  Ｒｅｆｌｅｘ）をサポートおよび部分的な抑制を提供し、乳児が自分の腕を使って自分の頭の位置を変えて空気へのアクセスを得ることが可能であるので、その乳児が腹臥位に転がる際に、乳児にとって窒息の危険を低下させる乳児の上半身のための十分なＲＯＭを含む。くるみ袋は、新生児の安全な睡眠ケア経路のミッシングリンクであり、両親が、乳児が予期せず寝返りするときに乳児を不慮の窒息死の危険にさらす腕の拘束を有するくるみデバイスの使用を延長する可能性を減らす、より安全なオプションであり、特に生後３〜４ヵ月の間、ＳＩＤＳおよびＳＵＩＤＳの危険度は最も高い。
【００１６】
加えて、くるみ袋は、乳児の股関節と膝を上向きと外向きの位置（屈曲および外転）にする余地を提供し、サポートを提供しながら、国際股関節形成不全研究所（ｔｈｅ  Ｉｎｔｅｒｎａｔｉｏｎａｌ  Ｈｉｐ  Ｄｙｓｐｌａｓｉａ  Ｉｎｓｔｉｔｕｔｅ）によって推奨されるように乳児の脚に可動域を提供するように設計されている。
【００１７】
図１Ａ、図１Ｂ、図２Ａおよび図２Ｂは、第１実施形態によるくるみデバイス１００の種々の図および構成を示す線図である。くるみデバイス１００は、乳児用の入口および出口を可能にするために、首開口部１０２、第１スリーブ１０４ａ、第２スリーブ１０４ｂ、および２方向ジッパー１０８を含む。
【００１８】
各スリーブ１０４は、対応する折り返しミトンカフス１０６（「折り返しカフス」または「カフス」）を含む。各折り返しカフス１０６は、介護者によって選択的に開けられる。図１Ａおよび図１Ｂは、それぞれ、開位置のカフス１０６を有するデバイス１００の正面図および背面図を示す。この位置で、カフス１０６は、乳児がスリーブ開口部を通して手を伸ばすことを可能にし、これにより、乳児が自分の手を吸うことによって乳児キューを与えて、自己安らぎを与えることを可能にする。
【００１９】
各カフス１０６は、それが閉位置にあるときに、乳児がカフス１０６を開くことが不可能ではなくても困難であるように寸法決めされる。図１Ａに示すように、各カフス１０６は、対応するスリーブの縦軸に沿って測定されることができる長さを有する。カフスの長さは十分に長いため、カフスが閉じられると、乳児が手／腕を伸ばすことによりカフスの端部に加えられる力によって容易に元に戻すことができない深い「ポケット」を形成する。深いポケットは、乳児が閉じたカフス１０６の材料層を通してその手をくねらせるのをさらに防止する。いくつかの実施形態では、各カフス１０６は、少なくとも２．５、そして好ましくは２．７５インチの長さを有する。
【００２０】
くるみ袋のスリーブも、乳児の手を乳児の頭と体により近く保つために寸法決めされる。図１Ａで分かるように、デバイス１００の肩からスリーブ１０４の端部まで測定される各スリーブの長さは、典型的な乳児の腕の長さと比較して比較的短い。いくつかの実施形態では、スリーブは、長さ３．０〜４．０インチである。短いスリーブの長さ（本明細書に述べられる他の特徴とともに）により、デバイス１００は、（新生児用の）腕の拘束を有するくるみブランケットまたはくるみデバイスと袖なしのウェアラブルブランケットとの間の移行製品として機能することができる。スリーブは、乳児の腕にいくらかの制約を提供するが、乳児の腕を下に係止するのに役立つくるみブランケットまたはくるみデバイスによって提供されるほど大きくはない。
【００２１】
スリーブは、くるみデバイス１００の肩線の上に遠位端を有するＹ字形構成で上方へ伸びる。上述のように、ミトンカフスが閉じたままで腕を完全に伸ばすと、標準スリーブよりも短いため、抵抗を生じる。スリーブの形状は、その頭の上に手を置いて自然の姿勢で眠っている乳児の腕の位置に沿うように形作られる。スリーブは各々、乳児の腕と手が袖部分に収まるのに十分な余地を可能にし、これにより、胸に手を乗せた姿勢、肘を体の両側に置いて手を肩と一直線にした姿勢、タッチダウン位置の肩の上に腕が届く姿勢、を含む複数の自然な姿勢で乳児が眠ることができる。スリーブは、限られた移動を可能にして、モロ反射に関連した腕の動きの抑制を提供する。
【００２２】
図２Ａおよび図２Ｂは、それぞれ、閉位置のカフス１０６を有するデバイス１００の正面図および背面図を示す。カフス１０６が閉位置にあるとき、それは、乳児が顔を引っ掻くことに関心がある介護者のために乳児が袋から自分の手を伸ばすことを防ぐために、袋の中に乳児の手を含む。この実施形態および他の実施形態では、折り返しカフスは、それらが（示すように）前から後ろへ折り畳まれるときに開位置にあるように、またはそれらが後ろから前に折り畳まれるときに開位置にあるように、構成されてよいことに留意されたい。
【００２３】
くるみデバイス１００は、モロ反射を抑制するためにくるみ様のサポート状態に乳児をサポートし、乳児が複数の腕位置オプションを有する自然のサポート位置で背中で眠ることを可能にし、モロ反射またはびっくり反射（Ｍｏｒｏ  ｏｒ  ｓｔａｒｔｌｅ  ｒｅｆｌｅｘ）に起因する目覚めが少なくより長い乳児の睡眠を含む抱っこの利点を享受するように設計される。
【００２４】
くるみデバイス１００は、３つの別個の部分または領域を含み、その各々は、乳児に１つまたは複数の重要な機能またはサポートを提供するために最適化される。底部（腰および脚）では、デバイス１００は、腰および脚の周りにきつくなく、腰と膝が曲げることができて、脚を動かす十分な余地を提供する。中央部（胴）では、デバイス１００は、中央部と腹の周りにサポートを提供するために比較的ぴったりしていて、乳児が安心感を感じるのを助ける。上部（胸、腕および手）では、デバイス１００は、ぴったりしていてきつ過ぎず、モロ反射に関連する動きを部分的に抑制し、乳児が自然で快適な姿勢で眠れるようにする複数の腕の位置オプションを可能にする。腕の位置オプションは以下を含む：腕を曲げて、両手を袋の内側の中央に置く；腕を上げ、両手を肩に並べて袋の内側に置く；腕を上げ、両手を袋の内側の肩の上に置く；または、腕を上げ、両手を袋の外側に置いて、乳児が乳児キューおよび自己安らぎのための皮膚と皮膚との吸い込みを可能にする。
【００２５】
図３Ａ、図３Ｂ、図４Ａおよび図４Ｂは、第２実施形態によるくるみデバイス３００の種々の図および構成を示す線図である。くるみデバイス３００は、上述のデバイス１００と同じ特徴を含む。加えて、デバイス３００は、両手が口に届く範囲で乳児の正中線にスリーブと腕を固定するために、衣服の袖および胸部領域への乳児用の柔らかいフックアンドループの適用を含む。
【００２６】
図３Ａに示すように、デバイス３００は、柔らかいループファスナ３０２ａおよび３０２ｂ、および柔らかいフックファスナ３０４ａおよび３０４ｂを含む。この設計オプションにより、乳児は、腕を曲げて、両手は正中線に、両手を顔まで上げて、従来の抱っこ姿勢（ｓｗａｄｄｌｅ  ｐｏｓｉｔｉｏｎ）になる。
【００２７】
上述の第１実施形態と同様に、この第２実施形態は、折り返しカフスを介して手入れおよび手出し構成を可能にする。図３Ａおよび図３Ｂは、それぞれ、開位置のカフスを有するデバイスの正面図および背面図を示す。図４Ａおよび図４Ｂは、それぞれ、閉位置のカフスを有するデバイス３００の正面図および背面図を示す。図４Ａにおいて、デバイス３００が柔らかいフックファスナ３０２ｃおよび３０２ｄの第２のペアをさらに含み、そのため、ミトンカフスが閉位置にあるときに乳児の腕がその正中線に位置決めされうる点に留意されたい。ファスナ３０２ｃおよび３０２ｄは、カフスが開位置にあるときカフスの布の下に隠れ、したがって図３Ａでは見えない。
【００２８】
第３実施形態（図示せず）は、袖および胸部領域への乳児用の柔らかいフックアンドループの適用に加えて、胸部領域上の開いた織りメッシュを含む。目の荒いメッシュは、余分な空気の流れが過熱のリスクを軽減させるのを助けることを可能にする。この設計のバリエーションは、両手が口に届く範囲で乳児の正中線にスリーブと腕を固定するために、衣服の袖および胸部領域への乳児用の柔らかいフックアンドループの適用を含む。この設計オプションにより、乳児は、腕を曲げて、両手は正中線に、両手を顔まで上げて、従来の抱っこ姿勢になる。第３実施形態も、折り返しミトンカフスを介して手入れおよび手出し構成を提供する。
【００２９】
図５Ａおよび図５Ｂは、それぞれ、例示的くるみデバイス５００の正面図および背面図を示す写真である。ここで、折り返しカフスは開位置で示される。この実施形態および他の実施形態は、パネルのそれぞれの周囲に沿って縫い合わされた前部および後部布パネルから主に製造されてもよい。布パネルは、柔らかく伸縮性のある綿または実質的に綿ベースの布から作られる。場合によっては、布は、合成弾性繊維（例えばｅｌａｓｔａｎｅ）を含んでよい。
【００３０】
図６は、例示的実施形態によるくるみデバイス６００の中の乳児６０２を示す線図である。乳児の右手は開放可能なスリーブの中に確実に含まれる一方で、乳児の左手は露出することに留意されたい。
【００３１】
図６は、デバイス６００の内側に破線で示される、乳児の体のサイズに関する上部、中央部、および底部の相対的寸法を示す。上部では、モロ反射と関連した上半身の動きを軽減および抑制するように、デバイス６００のスリーブおよび胸部は比較的きつい。中央部では、デバイス６００は、乳児の胃部の周りに比較的ぴったりと収まる。この領域の心地よさは、乳児が安心感を感じるのを助ける。底部では、デバイス６００は、乳児の腰と膝が曲がることができるように十分に広い一方で、モロ反射と関連した下半身の動きを低減および抑制する。
【００３２】
くるみデバイスの上部、中央部、および底部は、モロ反射の抑制、腰の健康などを含む上述の利点を提供するために、発明者によって決定されたサイズに寸法決めされる。いくつかの実施形態では、くるみデバイスの中央部は、１４〜１７インチの範囲の周囲長を有し、周囲長は、デバイスが未熟児の、新生児の、または年長の乳児のサイズ用に造られるかどうかに依存して変化する。中央部の周囲長は、乳児の胃の周囲長よりも５〜１０％小さくなるように設計される。伸縮性がある布構造の使用と相まって、より小さい周囲長は、乳児の胃の上に適度の一定圧力を提供する。
【００３３】
中央部の寸法とは対照的に、電球形の底部の最大周囲長は２１〜２６インチの範囲にあってよい。相対的に言えば、底部の最大周囲長は、中央部の平均周囲長よりも少なくとも４０％大きい。典型的な実施形態では、底部の最大周囲長は、中央部の平均周囲長よりも約５０％大きい。いくつかの実施形態では、中央部は、その周囲長が全体にわたって１０％以上変化しないという点で、実質的に円筒形である。他の実施形態では、図１Ａに見られるように、中央部は、その上端および下端よりも狭いウエストがある。
【００３４】
図７は、くるみデバイス７００の中の乳児の写真である。乳児の右手は開放可能なスリーブの中に確実に含まれる一方で、乳児の左手は露出することに留意されたい。ここで、デバイス７００によって、乳児は、口の中または口の周りに手を置くことにより、皮膚と皮膚との接触を得ることができる。
【００３５】
上記のように、本発明の実施形態を例示および説明してきたが、本発明の精神および範囲から逸脱することなく多くの変更を行うことができる。したがって、本発明の範囲は、上記の開示によって制限されない。
【図１Ａ】
2020521069.tif 000003
【図１Ｂ】
2020521069.tif 000004
【図２Ａ】
2020521069.tif 000005
【図２Ｂ】
2020521069.tif 000006
【図３Ａ】
2020521069.tif 000007
【図３Ｂ】
2020521069.tif 000008
【図４Ａ】
2020521069.tif 000009
【図４Ｂ】
2020521069.tif 000010
【図５Ａ】
2020521069.tif 000011
【図５Ｂ】
2020521069.tif 000012
【図６】
2020521069.tif 000013
【図７】
2020521069.tif 000014
【国際調査報告】
2020521069.tif 000015